(57)【要約】      （修正有）【課題】池底開放の水槽流入管が破断した場合に水槽の貯水流出を防止するために水槽流入管専用のフロート式逆流防止弁装置を提供する。【解決手段】池底開放の水槽流入管４の端部に水槽流入管専用のフロート式逆流防止弁装置を装着する。この場合、流入管４からの流入水がある場合、弁蓋３ｅがガイドバーに案内されながら流入水の力で流入管４の端部から離れていて円盤状ストッパー３ｃ下方に停留し流入水がスムーズに水槽内に流入する。一方、流入管４からの流入水がない場合、または、流入管４が破断した場合、弁蓋３ｅがガイドバー３ｄに案内されながら自重で接続フランジ３ａに停留して水槽貯水の流出を遮断する。【選択図】図３
0003162611.tif 000002
【実用新案登録請求の範囲】
【請求項１】
下部の接続フランジと上部の円盤状ストッパーと周りの複数丸棒から構成する格納枠内に比重1.0以上である中空円筒状のフロート式弁蓋が配置され、その弁蓋の上部中央に円盤状ストッパーに固定されるガイドバーを挿入するための非貫通の円孔が配置されている水槽流入管専用のフロート式逆流防止弁装置において、流入管からの流入水がある場合、弁蓋がガイドバーに案内されながら流入水の力で接続フランジから離れていて円盤状ストッパーの下方に停留し、流入管からの流入水がない場合、弁蓋がガイドバーに案内されながら自重で降下し接続フランジの上方に停留することを特徴とする水槽流入管専用のフロート式逆流防止弁装置。
【請求項２】
流入管からの流入水がある場合、弁蓋が確実に接続フランジから離れていくために前記の弁蓋の下部に流れを制御する邪魔リングが配置されていることを特徴とする請求項１に記載の水槽流入管専用のフロート式逆流防止弁装置。
【考案の詳細な説明】
【技術分野】
【０００１】
本考案は水槽の流入管が破断した場合、水槽貯水の流出を防止する方法に関する技術である。
【背景技術】
【０００２】
従来、配水池や受水槽などのような水槽において地震などの緊急時での流入管の破損を考慮し図５に示すように流入管４を最高水位線以上の位置に延ばすことが多い。
【０００３】
しかし、この従来の方法では高い位置からの給水になるので自由水面への流入水の落下による音が近所住民に不快感を与えることがある。
【考案の概要】
【考案が解決しようとする課題】
【０００４】
この流入水の落下音を無くすために流入管を池底に開放した場合、地震等の非常時の流入管の破断に起因する貯水の流出を如何に防止するかは本考案が解決しようとする課題である。
【課題を解決するための手段】
【０００５】
上記の課題を解決するために、請求項１に記載の考案は下部の接続フランジ３aと上部の円盤状ストッパー３bと周りの複数丸棒から構成する格納枠内に比重1.0以上である中空円筒状のフロート式弁蓋３eが配置され、その弁蓋３eの上部中央に円盤状ストッパー３cに固定されるガイドバー３dを挿入するための非貫通の円孔３fが配置されている水槽流入管専用のフロート式逆流防止弁装置３において、流入管４からの流入水がある場合、弁蓋3eがガイドバー３dに案内されながら流入水の力で接続フランジ３aから離れていて円盤状ストッパー３cの下方に停留し、流入管４からの流入水がない場合、弁蓋３eがガイドバー３dに案内されながら自重で降下し接続フランジ３aの上方に停留することを特徴とする水槽流入管専用のフロート式逆流防止弁装置３を用いる。
【０００６】
請求項２記載の考案は、流入管４からの流入水がある場合、弁蓋３eが確実に流入管４から離れていくように弁蓋３eの下部に流れを制御する邪魔リング３gが配置されていることを特徴とする請求項１に記載の水槽流入管専用のフロート式逆流防止弁装置３を用いる。
【考案の効果】
【０００７】
本考案では図１に示すように流入管４を池底に開放しその端部フランジ２にフロート式逆流防止弁装置３を装着する。それによって従来技術の問題点である流入音を無くす同時、地震等の非常時の流入管４の破断が発生した場合で水槽１の貯水が確実に確保される。
【考案を実施するための形態】
【０００８】
考案を実施するための最良の形態について図１〜図４を用いて説明する。
【０００９】
図１に示すように、本考案の逆流防止弁装置３は池底開放の流入管４の端部フランジ２に装着されている。
【００１０】
図２に示すように、本考案の逆流防止弁装置３は可動部分の中空円筒状の弁蓋３eと固定部分の格納枠から構成されている。
【００１１】
図２に示すように、可動部分の中空円筒状の弁蓋３eの上部にガイドバー３dの挿入用の非貫通穴３fが設置され、その下部に流れを制御する邪魔リング３gが設置されている。
【００１２】
また、中空円筒状の弁蓋３eの比重が水の比重1.0を僅かに上回るように設計されている。
【００１３】
図２に示すように、固定部分の格納枠は、下方の接続フランジ３aと上方の円盤状ストッパー３cと周りの複数丸棒３bから構成されている。
【００１４】
図３に示すように、流入管４からの流入水がある場合、弁蓋３eが流入水の力で、ガイドバー３dに案内されながら接続フランジ３aから離れていて円盤状ストッパー３cの下方に停留し流入水がスムーズに水槽１に流入する。
【００１５】
また、弁蓋３eの比重が水の比重1.0より僅かに大きいので、流入水の力で弁蓋３eを移動させる場合、システムの水頭損失の発生は殆どない。
【００１６】
図４に示すように、流入管４からの流入水がない場合、弁蓋３eが自重で降下し接続フランジ上方に停留する。
【００１７】
地震等の非常時、流入管４が破断した場合、弁蓋３eが逆流しようとする水流によって接続フランジに移動し、水槽１の貯水の流出を遮断する。
【００１８】
以下では流れを制御する邪魔リング３gの役割について説明する。
【００１９】
邪魔リング３gがない状態では、流入水が流入する初期において、接続フランジ３aの上部と弁蓋３eの下部の間に狭い隙間が形成し、流入水が極早い速度でこの隙間を通過する段階がある。ベルヌーイ定理によれば流速が早ければ水圧が低下する。よって弁蓋３eの上部と下部に異なる圧力差が生じ、即ち弁蓋３eを接続フランジ３aに押し付ける力が発生するので、弁蓋が接続フランジ３aから離れにくくなる。
【００２０】
邪魔リング３gがある状態では、流入水が流入する初期において、弁蓋３eの邪魔リング３g内側のエリアの受ける流れの力によって、弁蓋３eが一気上がり、接続フランジ３aの上部と弁蓋３eの下部の間に狭い隙間が形成し流入水が極早い速度でこの隙間を通過する段階は発生しなくなる。よって弁蓋３eが流入水の力によってスムーズに接続フランジ３aから離れ、余分の水頭損失の発生が回避できる。
【図面の簡単な説明】
【００２１】
【図１】本考案の装置の設置状況
【図２】本考案の装置の構造図
【図３】本考案の装置の動作状況（弁の開放状態）
【図４】本考案の装置の動作状況（弁の閉鎖状態）
【図５】従来の水槽流入管の設置状況
【符号の説明】
【００２２】
１  水槽
２  流入管の端部フランジ
３  フロート式逆止弁装置
４  流入管
３a  接続フランジ
３b  丸棒
３c  円盤状ストッパー
３d  ガイドバー
３e  中空円盤状の弁蓋
３f  非貫通孔
３g  邪魔リング
【図１】
0003162611.tif 000003
【図２】
0003162611.tif 000004
【図３】
0003162611.tif 000005
【図４】
0003162611.tif 000006
【図５】
0003162611.tif 000007